(57)【要約】【課題】  本発明の課題は、カード+暗証番号入力による認証に代わる新しい認証デバイスを実装するに当たり、顧客が違和感、戸惑いなくスムーズ操作できるように実装することにある。【解決手段】  新しい認証デバイスは、従来の操作範囲内の視認性の良い位置に配置することで、顧客に対して明確に実装位置を示すことができる。また、センタに配置することで、右手操作、左手操作に関わらず良好な操作性を確保できる。表示部の直下に配置することで、わかり易い操作方法の案内ができる。【選択図】  図１
2007272924.tif 000002
【特許請求の範囲】
【請求項１】
取引を自動的に行う自動取引装置において、
個人の生体情報を取得する生体情報取得手段と、取引に関する取引種別の表示または入力をする操作手段とを有し、
前記操作手段を前記装置の上部にほぼ垂直に配置し、
前記生体情報取得手段を前記装置の幅方向のほぼ中央部で、且つ前記操作部の下側で、且つ前記装置前面に水平方向に対して略１０度の傾きをもって突出した面上に設置し、
前記生体情報取得手段を設置した周囲に平坦な面を確保する
ことを特徴とする自動取引装置。
【請求項２】
取引を自動的に行う自動取引装置において、
個人の生体情報を取得する生体情報取得手段と、取引に関する取引種別の表示または入力をする操作手段とを有し、
前記操作手段を前記装置の上部にほぼ垂直に配置し、
前記生体情報取得手段を前記操作手段の幅方向の中心軸上付近で、且つ前記操作部の下側で、且つ前記装置前面に水平方向に対して略１０度の傾きをもって突出した面上に設置する
ことを特徴とする自動取引装置。
【請求項３】
請求項２記載の自動取引装置であって、
前記生体情報取得手段を設置した周囲に平坦な面を確保することを特徴とする自動取引装置。
【請求項４】
取引を自動的に行う自動取引装置において、
通信により個人を認証するリーダ/ライタと、取引に関する取引種別の表示または入力をする操作手段とを有し、
前記操作手段を前記装置の上部にほぼ垂直に配置し、
前記リーダ/ライタを前記装置の幅方向のほぼ中央部又は前記操作手段の幅方向の中心軸上付近で、前記操作部の下側で、且つ前記装置前面に水平方向に対して略１０度の傾きをもって突出した面の内部に設置する
ことを特徴とする自動取引装置。
【請求項５】
請求項４記載の自動取引装置であって、
個人の生体情報を取得する生体情報取得手段を有し、
前記生体情報取得手段を前記装置の幅方向のほぼ中央部又は前記操作手段の幅方向の中心軸上付近で、前記操作部の下側で、且つ前記装置前面に水平方向に対して略１０度の傾きをもって突出した面の内部に設置し、
前記生体情報取得手段と前記リーダ/ライタを手前から奥へと向かう前後方向に並べて配置することを特徴とする自動取引装置。    
【請求項６】
請求項４記載の自動取引装置であって、
個人の生体情報を取得する生体情報取得手段を有し、
前記リーダ/ライタを生体情報取得手段と一体的に形成したことを特徴とする自動取引装置。
【請求項７】
請求項５〜６記載の自動取引装置であって、
前記生体情報取得手段を設置した周囲に平坦な面を確保することを特徴とする自動取引装置。
【請求項８】
請求項４〜７記載の自動取引装置であって、
前記リーダ/ライタの手前側に突起を有することを特徴とする自動取引装置。
【請求項９】
請求項１〜８記載の自動取引装置であって、
前記リーダ/ライタ又は前記生体情報取得手段の少なくとも一方を当該装置の設置面から１０００〜１１００ｍｍの高さに実装したことを特徴とする自動取引装置。
【発明の詳細な説明】
【技術分野】
【０００１】
本発明は、銀行、郵便局などの金融機関あるいはコンビ二等に設置されるＡＴＭ（Automatic Teller's Machine）のような自動機において個人を認証するデバイスの実装に関する。
【背景技術】
【０００２】
金融機関に設置されたＡＴＭでは、個人の認証方法として主に磁気カードを使用し、暗証番号入力との併用で使用者が正当な人であるかを認証していた。そして、近年、スキミングなどの行為により磁気カード＋暗証番号による個人の認証ではセキュリティ性の低さが懸念され始めている。またセキュリティを強化した認証方法としては、ＩＣカード化や指紋、指静脈と言った生体認証デバイスの採用が検討されている。例えば、特許文献１によれば、指紋情報を登録したＩＣカードとＡＴＭに実装したスキャナで読み取った指紋データの照合で使用者の認証を行うシステムを開示している。
【０００３】
【特許文献１】特開２００１−０６７５２３号公報
【発明の開示】
【発明が解決しようとする課題】
【０００４】
特許文献１の技術によれば指紋スキャナは操作面の右端の最も手前部分に配置されており、認証デバイスの位置がわかりにくく、また左手操作の場合操作性が悪いといった課題がある。一般に暗証番号など他人に知られたくない情報を直接入力するような場合は、逆に操作状況が他人、又は背後から見られない位置に設置する必要があるため、操作面よりも視認性の悪い個所に設置されている。しかしながら、特許文献１は扱っている個人認証デバイス等は他人に認証操作を見られても問題無いものであるにもかかわらず、操作自体を見られたくない個人認証デバイス（例えば暗証番号等）と常に同じような位置に設けている。
【０００５】
個人認証デバイスなど個人が適切に入力操作する入力装置等は、一般の成人の健常者のみを対象にしたものだけでなく、視覚障害者、車椅子対象者あるいは、座高の低い者、左利きの者、子供などあらゆる利用者にとって、利用し易い、視認し易い位置に設ける事が望ましい。
【課題を解決するための手段】
【０００６】
上記課題を解決するため、金融機関やコンビ二、公共施設等に設置されているＡＴＭにおいて、個人認証デバイスを設ける実装位置として、特に、装置のほぼ中央の位置に設けたことを特徴とする。また、その設置角度を水平に対して約１０度の傾斜をもって配置する構造とする。
【発明の効果】
【０００７】
本発明によれば、認証デバイスを装置の中央に近い位置に配置することで、右手操作、左手操作どちらの場合も、同等の操作性を確保できる。また認証デバイスは水平に対して約１０度の傾斜とすることで、高い視認性、操作性を確保することができる。またデバイスの周囲に平坦な面を確保することで、指あるいはＩＣカード、携帯電話といった認証媒体のセット姿勢が安定し、また表示・入力部に近い位置に配置することで、デバイスに近い位置でわかり易い操作案内を出すことが可能となる。
【発明を実施するための最良の形態】
【０００８】
以下、本発明のＡＴＭ（取引装置、取引処理装置とも言う）を説明する。
【実施例１】
【０００９】
ＡＴＭは金融機関やコンビ二、公共施設等に設置され、顧客が目的とする現金の入金／出金取引等を自動的に行う自動取引装置である。図１はＡＴＭの顧客操作面の一実施形態を示す図面である。以下に、個人認証デバイスの視認性向上、操作性向上を目的とした自動機の顧客操作面について説明する。
【００１０】
図１において、装置最上部に垂直に近い角度で、顧客に対する操作案内表示およびタッチパネル方式による入力機能を有する表示・入力部（操作部とも言う）１を配置する。表示面が垂直であることから、取引をしていない場合は、不特定の顧客に対する情報発信デバイスとしても使用可能である。操作部１の横には、顧客の顔情報を取得するためのカメラ２と、音声ガイダンスを行うためのスピーカ３を配置する。
【００１１】
装置中段には、暗証番号、入出金金額等を入力するキーボード部４、顧客が保有するキャッシュカード、クレジットカード等のカードの取込み、返却を行うカード入出口５があり、装置内部はカード情報を読み取って入金／出金取引を行う。カード入出口５の横には取引内容を印字した明細票を放出する明細票放出口６を配置し、装置内部には明細票に印字する印字部を有する。その下には、入金紙幣の取込み、出金紙幣の放出を行う紙幣入出金口７、入金硬貨の取込み、出金硬貨の放出を行う硬貨入出金口８を配置し、紙幣／硬貨
ユニットとして図示しない紙幣／硬貨を鑑別する鑑別部、紙幣／硬貨を搬送する搬送路、紙幣／硬貨を収納する収納部を有する。また各媒体の入出口の上側には、フリッカランプ９−１〜９−４を有し、顧客に対してそれぞれ操作箇所への誘導、具体的には紙幣が排出された、カードを挿入するタイミング等に合わせて点滅表示を行う。
【００１２】
最下部の扉部１０には、紙幣入出金口７に投入された紙幣以外の媒体を顧客に返却する異物返却口１１、扉開閉用のハンドル１２、扉のロック／解除を行うキーシリンダ１３を配置する。この扉１０の装置内部には上述の紙幣ユニット、硬貨ユニットを具備する。
【００１３】
この自動取引装置において、顧客の生体情報の読み取りを行う認証デバイス１４を図面の丸で囲った部分、即ち、装置の最上部に配置した操作部１の直下に配置する。そして装置の幅方向に対しても図示するように中央に認証デバイス１４を配置する。これにより右手操作、左手操作どちらの場合も、同等の操作性を確保できるとの効果を奏する。なお、認証デバイス１４は、操作部１自体に組み込ませていないので、認証デバイス１４によって認証する際、操作部１から発せられる光の干渉を受けない。
【００１４】
続いて、自動取引装置における取引を行う場合の操作開始から認証までの操作手順について説明する。顧客が操作部１より取引種別を入力する。取引種別としては入金、出金、振込取引等が項目として表示され、顧客が選択した（押下した）項目を検知することでフリッカランプ９−１を点滅してカード挿入を促す。顧客がカード入出口５よりカードを挿入するとカードに搭載している磁気ストライプの磁気情報から口座番号を読み取る。続いて、顧客がキーボード部４より暗証番号を入力するとこの入力情報を図示しないホストに送信する。次に、装置の幅方向に対して中央に配置された認証デバイス１４に顧客が指を置くとＣＣＤセンサにて指静脈の画像を読み取り、カードより読み出した登録指静脈パターンと照合して認証処理を行う。図１に図示するように、操作部１とカード挿入／排出口５又は紙幣／硬貨入出金口７，８との間に認証デバイスを配置し、また装置の幅方向で中心位置に配置することで、操作の流れが大きく変化することなく、操作を進めることが可能となり、操作者に違和感を与えない。もちろん、操作部１直下に配置することで、認証デバイスの操作案内を操作部に近い位置で表示でき、わかり易い案内が可能となる。
【００１５】
認証デバイスとしては顧客の唯一無二の生体情報、指内部にある指静脈のパターンを読み取る指静脈ユニット、又は指表面の指紋パターンを読み取る指紋スキャナを用いている。このことから生体取得手段とも言う。図２および図３を用いて、指静脈デバイスあるいは指紋スキャナを実装した構成を説明する。なお、図３は図２の自動取引装置について垂直方向の線Ａ−Ａに沿ってみた場合の断面図である。図示するとおり操作部１の直下に水平に近い面を構成し、その面のほぼ中央位置に認証デバイス１４を水平に対して約１０度の傾斜で配置する。装置の幅方向に対してほぼ中央に認証デバイス１４を配置することで、右手操作、左手操作どちらの場合でも同等の操作性を得ることができる。よって、左利きの人が操作しても、認証デバイス１４の位置さえ認識できれば自然な向きで入力操作が可能である。さらに、認証デバイス１４の実装部の周囲に平坦な面を確保することで、指静脈ユニット、指紋スキャナに対して安定した指のセット状態が確保できる。よって、視覚障害者にとっては、まず平坦な面を認知し、指、手のひらで指静脈ユニットを探り当てることが容易に出来る。このとき、認証デバイス１４が指に光を照射するＬＥＤ（照射部）と指の情報を読み取るＣＣＤセンサ（撮像部）により構成される指静脈ユニットであれば、照射部を平坦な面より上方に突出させ、撮像部を撮像面が平坦な面とほぼ同じ高さとなるべく平坦な面の内部に埋めこんで設置する。
【００１６】
さらに、認証デバイス１４の実装位置が設置面から１０００〜１１００ｍｍ程度の高さに約１０度の傾斜を有して実装されているため、無理のない姿勢での操作が可能である。成人の大人のみだけでなく、身障者など車椅子を利用されている人及び子供等が利用する場合であっても、無理無く操作が可能である。一方、これよりも低い位置に認証デバイス１４を実装するとなれば、成人の大人が利用するときに手首を返して指を認証デバイス１４に置く（かざす）構成となってしまい操作性が悪くなるので、本高さが適当である。また本高さでかつ約１０度の傾斜を設けることにより上記の様な目線の低い顧客の操作時においても、本装置に凹凸が多少あったとしてもその上部に位置する顧客案内表示部の視認性に悪影響を与えることがない。
【００１７】
顧客は図２，３に図示する認証デバイス１４に指を置く（又はかざす）ことにより、装置は指内部の静脈又は指表面の指紋を、その内部に具備したＣＣＤ又はスキャナによって画像として読み取り、その画像を特定のアルゴリズムで特徴量を抽出し、カード機構部より読み出した登録パターンと照合して、認証処理を実行する。この認証結果がＯＫのときは顧客が操作部１にて選択した取引種目（入金、出金、暗証番号変更等）を図示しない制御部によって実行する。
【００１８】
認証デバイス１４は指に光を照射するＬＥＤや指の情報を読み取るＣＣＤセンサを有し、制御部はＣＣＤセンサで読み取った画像から特定のアルゴリズムで特徴量を抽出し暗号化するプログラムを有している。このように、制御部は、読取、抽出、認証などのプログラムを記憶したメモリ、ＩＣチップを搭載した基板（ボード）で構成する。よって基板としての制御部を装置の内部に配置し（例、操作部１の裏面に配置）、制御部と認証デバイス１４を電気的に接続する構成にすることにより、認証デバイス１４自体を小型化することが可能である。
【００１９】
次に、認証デバイスとして非接触ＩＣカードあるいは携帯電話との通信を行うリーダ／ライタを用いる場合を説明する。図４は、非接触ＩＣカードあるいは携帯電話との通信を行うリーダ／ライタを実装した一構成図であり、図５は図４の自動取引装置について垂直方向の線Ｂ−Ｂに沿ってみた場合の断面図である。顧客案内表示・操作部1の直下に水平に近い面を構成し、その面のほぼ中央位置の内部にリーダ／ライタ１５を実装する。本構成も上記実施例１と同様に装置の幅方向に対してほぼ中央に配置することで、右手操作、左手操作どちらの場合でも同等の操作性を得ることができる。更に、手前側に滑り落ち防止の突起１６を設ける事で、カードあるいは携帯電話を約１０度の傾斜面にセットした状態が維持でき、セット状態のままで暗証番号入力等の他の操作を行うことが可能となる。
【００２０】
以上説明したとおり、操作部１の直下にある水平に近い面上で、かつ装置の幅方向に対してその中央位置に、図２、３では顧客の生体情報の読み取りを行う認証デバイス１４を設置し、図４、５では非接触ＩＣカードあるいは携帯電話との通信を行うリーダ／ライタ１５を設置する例について説明した。以下では認証デバイス１４とリーダ／ライタ１５の両方を設置する例について説明する。第１の態様においては認証デバイス１４とリーダ／ライタ１５の両方を中央位置に設置し、第２の態様においては認証デバイス１４を中央位置に、リーダ／ライタ１５を顧客側から見て装置正面の左側に設置する。なお上述の通り、キーボード部４は顧客側からみて右側（図の右側）に設置している点は変わらない。
【００２１】
第１の態様においては、認証デバイス１４とリーダ／ライタ１５を一体化させた装置（例、認証機能付きリーダ／ライタ）として設置しても良いし、認証デバイス１４とリーダ／ライタ１５を手前から奥へと向かう前後方向に並べて設置しても良い。これにより、上述したように左利きの人が操作しても、自然な向きで入力操作が可能となる。
【００２２】
次に第２の態様について説明する。上述したとおり認証デバイス１４は顧客又は利用者の生体情報を取得するものであり、その認証時において利用者が正しい姿勢、即ち当該デバイスに対して真っ直ぐ、または水平に該当する指を置くのが良い。登録されている静脈パターン等と精度の高い認証を得るためである。従って、図２の装置の幅方向に対して左側に認証デバイス１４を配置した場合、そして登録されている静脈パターンが右手の指であったとき、右手を装置の左側に伸ばして認証デバイス１４に指をかざさねばならばいので、認証が失敗してしまう可能性が高い。よって、認証デバイス１４を装置の幅方向で中央位置に設置する構成が望ましい。一方、キーボード、リーダ／ライタ１５は上述の影響を受けないことから、キーボード部４は装置正面に対して右側に配置し、リーダ／ライタ１５を装置正面に対して左側に配置し、装置全体の操作性を最大限に向上させることができる。
【図面の簡単な説明】
【００２３】
【図１】自動取引装置の正面図
【図２】自動取引装置に指静脈ユニットあるいは指紋スキャナを実装した図
【図３】図２のＡ−Ａ断面図
【図４】非接触ＩＣカードあるいは携帯電話と通信を行うリーダ／ライタを実装した図
【図５】図４のＢ−Ｂ断面図
【符号の説明】
【００２４】
１…表示・入力部、２…カメラ、３…スピーカ、４…キーボード部、５…カード入出口、６…明細票放出口、７…紙幣入出金口、８…硬貨入出金口、９−１…カード入出口フリッカランプ、９−２…明細票放出口フリッカランプ、９−３…紙幣入出金口フリッカランプ、９−４…硬貨入出金口フリッカランプ
【図１】
2007272924.tif 000003
【図２】
2007272924.tif 000004
【図３】
2007272924.tif 000005
【図４】
2007272924.tif 000006
【図５】
2007272924.tif 000007